(57)【要約】【課題】印刷物の画像形成面が当該画像形成面に対し鋭角な方向から目視された場合に、当該印刷物の画像形成面に形成され指定される所定の記号については秘匿の状態とすることのできる画像処理装置を提供する。【解決手段】画像処理装置は、画像形成対象のデータを取得するデータ取得手段と、指定される処理対象とする広義の記号（文字、狭義の記号など）を取得する指定情報取得手段と、データ取得手段によって取得されたデータから指定情報取得手段によって取得された記号と同じ記号を特定する記号特定手段と、記号特定手段によって特定された記号について当該特定された記号とは異なる記号と比較して線幅が細くなる所定の修飾を施す記号処理手段と、記号処理手段によって所定の修飾が施された後の前記画像形成対象のデータを出力するデータ出力手段と、を備える。【選択図】図１
2009223765.tif 000002
【特許請求の範囲】
【請求項１】
画像形成対象のデータを取得するデータ取得手段と、
指定される処理対象とする記号を取得する指定情報取得手段と、
前記データ取得手段によって取得されたデータから前記指定情報取得手段によって取得された記号と同じ記号を特定する記号特定手段と、
前記記号特定手段によって特定された記号について当該特定された記号とは異なる記号と比較して線幅が細くなる所定の修飾を施す記号処理手段と、
前記記号処理手段によって所定の修飾が施された後の前記画像形成対象のデータを出力するデータ出力手段と、
を有することを特徴とする画像処理装置。
【請求項２】
前記記号処理手段は、
前記特定された記号に対する前記所定の修飾として、当該特定された記号の反転と、当該特定された記号にかかわる背景と当該記号の輪郭線とについて網点面積率が４０％以上の網掛けとを施す、
ことを特徴とする請求項１に記載の画像処理装置。
【請求項３】
前記記号処理手段は、
前記特定された記号のサイズを、当該特定された記号とは異なる記号のサイズと比較して小さくする、
ことを特徴とする請求項１または２に記載の画像処理装置。
【請求項４】
前記画像形成対象のデータにかかわる記号に含まれる文字に注目し、前記特定された記号が文字の場合、
前記記号処理手段は、
当該特定された文字を当該特定された文字とは異なる文字の字体の線幅よりも細い字体の文字に変換する、
ことを特徴とする請求項１〜３のいずれか一項に記載の画像処理装置。
【請求項５】
前記指定情報取得手段は、
前記処理対象とする個人情報に対応する記号列を取得し、
前記記号特定手段は、
前記データ取得手段によって取得されたデータから前記指定情報取得手段によって取得された記号列と同じ記号列または対応する記号列を特定し、
前記記号処理手段は、
前記特定された記号列について当該特定された記号列とは異なる記号または記号列と比較して線幅が細くなる所定の修飾を施す、
ことを特徴とする請求項１〜４のいずれか一項に記載の画像処理装置。
【請求項６】
アプリケーションソフトウェアにより作成されたデータを基に印刷データを生成する印刷データ生成手段、を更に備え、
前記データ取得手段は、
前記印刷データ生成手段によって生成された印刷データを画像形成対象のデータとして取得する、
ことを特徴とする請求項１〜５のいずれか一項に記載の画像処理装置。
【請求項７】
原稿を光学的に読み取るとともに該読み取り結果を画像データに変換する画像読取装置とデータの授受を行うインタフェース手段と、
前記インタフェース手段が受け取った画像データを基に印刷データを生成する印刷データ生成手段と、
を更に備え、
前記データ取得手段は、
前記印刷データ生成手段によって生成された印刷データを画像形成対象のデータとして取得する、
ことを特徴とする請求項１〜５のいずれか一項に記載の画像処理装置。
【請求項８】
請求項１から請求項７のいずれか一項に記載の画像処理装置から出力される画像形成対象のデータを受け取るとともに、該受け取ったデータを基に画像形成処理を実施する、
ことを特徴とする画像形成装置。
【請求項９】
請求項１から請求項７のいずれか一項に記載の画像処理装置と、
前記画像処理装置から出力された画像形成対象のデータを受け取るとともに、該受け取ったデータを基に画像形成処理を実施する画像形成装置と、
を有することを特徴とする画像形成システム。
【請求項１０】
画像形成対象のデータを取得するデータ取得処理過程と、
指定される処理対象とする記号を取得する指定情報取得処理過程と、
前記データ取得処理過程により取得されたデータから前記指定情報取得処理過程により取得された記号と同じ記号を特定する記号特定処理過程と、
前記記号特定処理過程により特定された記号について当該特定された記号とは異なる記号と比較して線幅が細くなる所定の修飾を施す記号処理過程と、
前記記号処理過程により所定の修飾が施された後の前記画像形成対象のデータを出力するデータ出力処理過程と、
をコンピュータに実行させることを特徴とする画像処理プログラム。
【発明の詳細な説明】
【技術分野】
【０００１】
本発明は、画像処理装置、画像形成装置、画像形成システム、および画像処理プログラムに関する。
【背景技術】
【０００２】
従来、指定された文字列を強調書体に変換する方法、あるいは指定された文字列に対し網掛けや反転など文字修飾処理を実施する方法などにより、指定された文字列を強調して出力するものがある。前者の方法による装置としては例えば特許文献１に記載されたものが知られており、また後者の方法によるシステムとしては例えば特許文献２に記載されたものが知られている。
【０００３】
また、従来、指定された文字列に対し塗りつぶしが施された印刷データを生成し、この印刷データを基に印刷を行うシステムがある。このようなシステムとしては例えば特許文献３に記載されたものが知られている。
【特許文献１】特開平０４−１９５５１８号公報
【特許文献２】特開２０００−２３５４６５号公報
【特許文献３】特開２００３−０２５６８４号公報
【発明の開示】
【発明が解決しようとする課題】
【０００４】
本発明は、印刷物の画像形成面が当該画像形成面に対し鋭角な方向から目視された場合に、当該印刷物の画像形成面に形成され指定される所定の記号については秘匿の状態とすることのできる画像処理装置、画像形成装置、画像形成システム、および画像処理プログラムを提供することを目的とする。
【課題を解決するための手段】
【０００５】
上記課題を解決するため、請求項１に記載の本発明の画像処理装置は、画像形成対象のデータを取得するデータ取得手段と、指定される処理対象とする記号を取得する指定情報取得手段と、前記データ取得手段によって取得されたデータから前記指定情報取得手段によって取得された記号と同じ記号を特定する記号特定手段と、前記記号特定手段によって特定された記号について当該特定された記号とは異なる記号と比較して線幅が細くなる所定の修飾を施す記号処理手段と、前記記号処理手段によって所定の修飾が施された後の前記画像形成対象のデータを出力するデータ出力手段と、を有することを特徴とする。
【０００６】
請求項２に記載の発明は、上記請求項１に記載の発明において、前記記号処理手段は、前記特定された記号に対する前記所定の修飾として、当該特定された記号の反転と、当該特定された記号にかかわる背景と当該記号の輪郭線とについて網点面積率が４０％以上の網掛けとを施す、ことを特徴とする。
【０００７】
請求項３に記載の発明は、上記請求項１または２に記載の発明において、前記記号処理手段は、前記特定された記号のサイズを、当該特定された記号とは異なる記号のサイズと比較して小さくする、ことを特徴とする。
【０００８】
請求項４に記載の発明は、上記請求項１〜３のいいずれか一項に記載の発明において、前記画像形成対象のデータにかかわる記号に含まれる文字に注目し、前記特定された記号が文字の場合、前記記号処理手段は、当該特定された文字を当該特定された文字とは異なる文字の字体の線幅よりも細い字体の文字に変換する、ことを特徴とする。
【０００９】
請求項５に記載の発明は、上記請求項１〜４のいいずれか一項に記載の発明において、前記指定情報取得手段は、前記処理対象とする個人情報に対応する記号列を取得し、前記記号特定手段は、前記データ取得手段によって取得されたデータから前記指定情報取得手段によって取得された記号列と同じ記号列または対応する記号列を特定し、前記記号処理手段は、前記特定された記号列について当該特定された記号列とは異なる記号または記号列と比較して線幅が細くなる所定の修飾を施す、ことを特徴とする。
【００１０】
請求項６に記載の発明は、上記請求項１〜５のいいずれか一項に記載の発明において、アプリケーションソフトウェアにより作成されたデータを基に印刷データを生成する印刷データ生成手段、を更に備え、前記データ取得手段は、前記印刷データ生成手段によって生成された印刷データを画像形成対象のデータとして取得する、ことを特徴とする。
【００１１】
請求項７に記載の発明は、上記請求項１〜５のいいずれか一項に記載の発明において、原稿を光学的に読み取るとともに該読み取り結果を画像データに変換する画像読取装置とデータの授受を行うインタフェース手段と、前記インタフェース手段が受け取った画像データを基に印刷データを生成する印刷データ生成手段と、を更に備え、前記データ取得手段は、前記印刷データ生成手段によって生成された印刷データを画像形成対象のデータとして取得する、ことを特徴とする。
【００１２】
上記課題を解決するため、請求項８に記載の本発明の画像形成装置は、請求項１から請求項７のいずれか一項に記載の画像処理装置から出力される画像形成対象のデータを受け取るとともに、該受け取ったデータを基に画像形成処理を実施する、ことを特徴とする。
【００１３】
上記課題を解決するため、請求項９に記載の本発明の画像形成システムは、請求項１から請求項７のいずれか一項に記載の画像処理装置と、前記画像処理装置から出力された画像形成対象のデータを受け取るとともに、該受け取ったデータを基に画像形成処理を実施する画像形成装置と、を有することを特徴とする。
【００１４】
上記課題を解決するため、請求項１０に記載の本発明の画像処理プログラムは、画像形成対象のデータを取得するデータ取得処理過程と、指定される処理対象とする記号を取得する指定情報取得処理過程と、前記データ取得処理過程により取得されたデータから前記指定情報取得処理過程により取得された記号と同じ記号を特定する記号特定処理過程と、前記記号特定処理過程により特定された記号について当該特定された記号とは異なる記号と比較して線幅が細くなる所定の修飾を施す記号処理過程と、前記記号処理過程により所定の修飾が施された後の前記画像形成対象のデータを出力するデータ出力処理過程と、をコンピュータに実行させることを特徴とする。
【発明の効果】
【００１５】
請求項１記載の発明によれば、印刷物の画像形成面が当該画像形成面に対し鋭角な方向から目視された場合に、当該印刷物の画像形成面に形成され指定される所定の記号については秘匿の状態とすることができる。
【００１６】
請求項２記載の発明によれば、印刷物の画像形成面に形成され反転および網掛けの修飾が施された所定の記号については、隠匿性を高めた状態とすることができる。
【００１７】
請求項３記載の発明によれば、印刷物の画像形成面が当該画像形成面に対し鋭角な方向から目視された場合に、印刷物の画像形成面に形成され、反転および網掛けの修飾が施されかつ他の記号と比較してサイズの小さい所定の記号については、他の記号とサイズが同じ場合と比較して隠匿性を高めた状態とすることができる。
【００１８】
請求項４記載の発明によれば、印刷物の画像形成面が当該画像形成面に対し鋭角な方向から目視された場合に、印刷物の画像形成面に形成され、反転および網掛けの修飾が施されかつ他の文字の字体と比較して線幅の細い字体の所定の文字については、秘匿の状態とすることができる。
【００１９】
請求項５記載の発明によれば、印刷物の画像形成面が当該画像形成面に対し鋭角な方向から目視された場合に、印刷物の画像形成面に形成され指定される個人情報については、秘匿の状態とすることができる。
【００２０】
請求項６記載の発明によれば、アプリケーションソフトウェアにより作成されたデータに基づき画像形成された印刷物の画像形成面が当該画像形成面に対し鋭角な方向から目視された場合に、当該印刷物の画像形成面に形成され指定される所定の記号については秘匿の状態とすることができる。
【００２１】
請求項７記載の発明によれば、画像読取装置によって読み取られた画像データに基づき画像形成された印刷物の画像形成面が当該画像形成面に対し鋭角な方向から目視された場合に、当該印刷物の画像形成面に形成され指定される所定の記号については秘匿の状態とすることができる。
【００２２】
請求項８記載の発明によれば、印刷物の画像形成面が当該画像形成面に対し鋭角な方向から目視された場合に、当該印刷物の画像形成面に形成され指定される所定の記号については秘匿の状態とすることができる。
【００２３】
請求項９記載の発明によれば、印刷物の画像形成面が当該画像形成面に対し鋭角な方向から目視された場合に、当該印刷物の画像形成面に形成され指定される所定の記号については秘匿の状態とすることができる。
【００２４】
請求項１０記載の発明によれば、印刷物の画像形成面が当該画像形成面に対し鋭角な方向から目視された場合に、当該印刷物の画像形成面に形成され指定される所定の記号については秘匿の状態にさせるソフトウェアを提供することができる。
【発明を実施するための最良の形態】
【００２５】
以下、本発明の実施の形態を図面に基づいて詳細に説明する。なお、実施の形態を説明するための図面において同一の構成要素には原則として同一の符号を付し、その繰り返しの説明は省略する。
【００２６】
（実施の形態１）
【００２７】
図１は、実施の形態１に係る画像処理装置の機能構成を示している。
【００２８】
この実施の形態１の画像処理装置は、画像形成対象のデータから、指定される隠匿処理対象の記号と同じ記号を特定するとともに、この特定した記号については当該特定された記号とは異なる記号と比較して線幅が細くなる所定の修飾を施すようになっている。
【００２９】
本願明細書において、「隠匿処理対象の記号」における「記号」とは、広義の「記号」を意味し、文字（例えば、ひらかな、カタカタ、漢字、英数字、ギリシャ文字など）、符号（文字以外のもの、例えば狭義の記号（例えば、学術記号、＠、＄、￥など）や図形）などである。
【００３０】
さて、画像処理装置１０は、例えばコンピュータで構成され、図１に示すように、画像処理部１００、表示部１０１、入力部１０２、印刷データ生成部１０３、およびアプリケーションソフトウェア１０４を有している。
【００３１】
表示部１０１は、画像形成対象（印刷対象）のデータ（のファイル名）を指定するための設定画面（以下「ファイル設定画面」という）、画像形成対象（印刷対象）のデータに対する隠匿処理を実施するに際し、隠匿処理対象の記号の指定や、隠匿処理方法の指定などを行うための設定画面（以下「隠匿処理設定画面」という。）など、所定の表示情報を表示するものである。
【００３２】
入力部１０２は、ファイル設定画面に対し印刷対象のデータのファイル名の指定、隠匿処理設定画面に対し隠匿処理対象の記号の指定や、隠匿処理方法の指定など、所定の入力情報を入力するものである。
【００３３】
実施の形態１では、指定される隠匿処理対象の記号は、文字および文字列の両方または一方とする。もちろん、隠匿処理対象の記号はそれに限定されることなく、上述したように文字（文字列）、文字以外のもの例えば狭義の記号（例えば、学術記号、＠、＄、￥など）や図形などであってもよい。
【００３４】
印刷データ生成部１０３は、上記印刷データ生成手段の機能を有し、アプリケーションソフトウェア１０４により作成されたデータを基に印刷データ、例えばページ記述言語で記述されるデータ（以下「ＰＤＬデータ」という。）を生成し、これをデータ取得部１１０に与える。
【００３５】
画像処理部１００は、データ取得部１１０、指定情報取得部１２０、記号特定部１３０、記号処理部１４０、データ出力部１５０およびデータ記憶部１６０を有している。
【００３６】
データ取得部１１０は、上記データ取得手段の機能を有し、印刷データ生成部１０３から与えられた印刷データ（プリケーションソフトウェア１０４により作成されたデータに基づき生成された印刷データ）を画像形成対象のデータとして取得し、これをデータ記憶部１６０に格納する。
【００３７】
指定情報取得部１２０は、上記指定情報取得手段の機能を有し、指定される処理対象とする記号を取得する。
【００３８】
また、指定情報取得部１２０は、指定される処理対象とする個人情報に対応する記号列を取得する。
【００３９】
記号特定部１３０は、上記記号特定手段の機能を有し、データ取得部（データ取得手段）１１０が取得したデータから指定情報取得部（指定情報取得手段）１２０が取得した記号と同じ記号を特定する。この場合、記号特定部１３０は、データ記憶部１６０に記憶されている印刷データから、指定情報取得部１２０が取得した記号と同じ記号を特定することになる。
【００４０】
また、記号特定部１３０は、データ記憶部１６０に記憶されている印刷データから、指定情報取得部１２０が取得した記号列（個人情報に対応する記号列）と同じ記号列または対応する記号列を特定する。
【００４１】
なお、個人情報に対応する記号列と同じ記号列とは、指定情報取得部１２０によって例えば具体的な個人名（例えば富士太郎）が指定された場合に、その個人名と同じ個人名（例えば富士太郎）を意味する。また、個人情報に対応する記号列に対応する記号列とは、指定情報取得部１２０によって例えば属性としての個人名が指定された場合に、その個人名（属性）に対応する具体的な個人名（例えば個人名と思われる富士太郎、富士花子など）を意味する。このようなことは、個人情報としての例えば、住所、電話番号、メールアドレスなどにも言える。
【００４２】
上述したようにして記号特定部１３０が記号または記号列を特定した結果は、例えば特定した記号または記号列が存在する位置を示す位置情報などであり、記号処理部１４０に与えられる。
【００４３】
記号処理部１４０は、上記記号処理手段の機能を有し、記号特定部（記号特定手段）１３０によって特定された記号について当該特定された記号とは異なる記号と比較して線幅が細くなる所定の修飾（例えば反転と網掛け）を施す。
【００４４】
この場合、記号処理部１４０は、データ記憶部１６０に記憶されている印刷データに含まれ、記号特定部（記号特定手段）１３０によって特定された記号に対して所定の修飾を実施し、その修飾を実施した後の印刷データをデータ出力部１５０に渡す。
【００４５】
また、記号処理部１４０は、特定された個人情報に対応する記号列に関しては、この特定された記号列について当該特定された記号列とは異なる記号または記号列と比較して線幅が細くなる所定の修飾（例えば反転と網掛け）を施すことになる。
【００４６】
この記号処理部１４０は、修飾処理部１４１、文字サイズ変更処理部１４２、および字体変更処理部１４３を有している。
【００４７】
修飾処理部１４１は、上記特定された記号に対する上記所定の修飾として、当該特定された記号の反転と、当該特定された記号にかかわる背景と当該記号の輪郭線とについて網点面積率（網掛け率）が４０％以上の網掛けとを施す。
【００４８】
なお、網掛けに関しては、より好ましくは、４０％以上、５０％以下の範囲で所望の網掛け率の網掛けとする。
【００４９】
文字サイズ変更処理部１４２は、特定された記号のサイズを、当該特定された記号とは異なる記号のサイズと比較して小さくする（文字を縮小する）。
【００５０】
字体変更処理部１４３は、特定された記号が文字の場合、特定された文字を、特定された文字とは異なる文字の字体の線幅よりも細い字体の文字に変換する。例えば、字体変更処理部１４３は、印刷データに含まれる文字が例えばゴシック体の字体で記述されている場合においては、特定された文字を明朝体の字体の文字に変換する。
【００５１】
データ出力部１５０は、上記データ出力手段の機能を有し、記号処理部（記号処理手段）１４０によって所定の修飾が施された後の画像形成対象のデータ（印刷データ）を出力する。
【００５２】
画像形成装置２０は、例えばプリンタであり、画像処理装置２０から出力された画像形成対象のデータ（印刷データ）を受け取るとともに該受け取った印刷データを基に画像形成処理を実施する。
【００５３】
なお、実施の形態１において、データ記憶部１６０を除く画像処理部１００（構成要素１１０〜１５０）は、ソフトウェア、ファームウェア、またはドライバで構成することができる。
【００５４】
また、実施の形態１においては、画像処理装置１０と画像形成装置２０とで画像形成システム１を形成している。
【００５５】
図２は表示部１０１に表示される隠匿処理設定画面の一例を示しており、図２（ａ）は、印刷対象のデータに対する隠匿処理を実施するに際し、隠匿処理対象の文字および文字列の両方または一方の指定を行うための隠匿処理設定画面１０１Ａを示し、図２（ｂ）は、印刷対象のデータに対する隠匿処理を実施するに際し、隠匿処理方法の指定を行うための隠匿処理設定画面１０１Ｂを示している。
【００５６】
隠匿処理設定画面１０１Ａには、隠匿処理対象として「任意の文字および文字列の両方または一方」を指定するための指定欄（「任意の文字・文字列」指定欄）１０１１と、隠匿処理対象として「個人情報」を指定するための指定欄（「個人情報」指定欄）１０１２とが設けられている。
【００５７】
ユーザが入力部１０２を操作して「任意の文字・文字列」指定欄１０１１および「個人情報」指定欄１０１２の両方または一方を選択する（チェックする）ことができるようになっている。
【００５８】
「任意の文字・文字列」指定欄１０１１に対応して、実際に文字および文字列の両方または一方を記述するための記述欄１０１１Ａが設けられている。ユーザは、入力部１０２を操作して記述欄１０１１Ａに、漢字、ひらがな、カタカナ、内容を表すキーワード（例えば所定の分野にかかわるキーワード）などの文字列を記述することができる。
【００５９】
すなわち、ユーザが、「任意の文字・文字列」指定欄１０１１を選択し、記述欄１０１１Ａに文字および文字列の両方または一方を記述し、さらに「確定」ボタン１０１８Ａを選択することにより、記述された文字および文字列の両方または一方が隠匿処理対象として確定される。
【００６０】
なお、複数の文字または文字列を隠匿処理対象としたいときは、記述欄１０１１Ａに複数の文字または文字列を記述するに際し、文字と文字との間、文字列と文字列との間、または文字と文字列との間に「空白」または「，」（カンマ）を挿入する。あるいは、上述した隠匿処理対象の指定操作を繰り返し行う。
【００６１】
「個人情報」指定欄１０１２に対応して、「デフォルト」を指定するための指定欄（「デフォルト」指定欄）１０１３と、個人情報としての各選択肢を指定するための指定欄（「個人情報選択肢」指定欄）１０１４とが設けられている。
【００６２】
ユーザが入力部１０２を操作して「デフォルト」指定欄１０１３または「個人情報選択肢」指定欄１０１４を選択する（チェックする）ようになっている。
【００６３】
ユーザが入力部１０２を操作して「デフォルト」指定欄１０１３を選択した場合は、例えば「電話番号」、「住所」、「名前」など予め設定される個人情報が秘匿処理対象として設定されることになる。
【００６４】
ユーザが入力部１０２を操作して「個人情報選択肢」指定欄１０１４を選択した場合は、この「個人情報選択肢」指定欄１０１４に対応して設けられている例えば「電話番号」、「住所」、「名前」の各選択肢を指定するための選択肢指定欄１０１４Ａ，１０１４Ｂ，１０１４Ｃの中から、少なくとも１つの選択肢指定欄つまり個人情報を選択する（チャックする）ようになっている。
【００６５】
すなわち、ユーザが、「個人情報」指定欄１０１２を選択し、次に「デフォルト」指定欄１０１３を選択し、さらに「確定」ボタン１０１８Ｂを選択することにより、デフォルトに対応する個人情報が隠匿処理対象として確定される。
【００６６】
一方、ユーザが、「個人情報」指定欄１０１２を選択し、次に「個人情報選択肢」指定欄１０１４を選択し、続いて選択肢指定欄１０１４Ａ，１０１４Ｂ，１０１４Ｃの中から所望の選択肢（選択肢指定欄）を選択し、さらに「確定」ボタン１０１８Ｂを選択することにより、指定された選択肢の個人情報が隠匿処理対象として確定される。
【００６７】
隠匿処理設定画面１０１Ｂには、必須の隠匿処理方法としての所定の修飾処理としての反転処理および網掛け処理に対応する「所定の修飾：反転・網掛け（網掛け率４０％〜５０％）」の処理項目１０１５と、「文字縮小」の処理方法を指定するための指定欄（「文字縮小」指定欄）１０１６と、「字体変更」の処理方法を指定するための指定欄（「字体変更」指定欄）１０１７とが設けられている。
【００６８】
実施の形態１では、「文字縮小」指定欄１０１６および「字体変更」指定欄１０１７のいずれか一方のみを選択し、両方を選択することができないようになっている。また実施の形態１では、前記２つの指定欄１０１６，１０１７のいずれも選択しないこともできる。この場合、「所定の修飾：反転・網掛け（網掛け率４０％〜５０％）」処理項目１０１５に対応する必須の隠匿処理方法としての所定の修飾処理（反転処理および網掛け処理）のみが、修飾処理部１４１によって実施されることとなる。
【００６９】
「文字縮小」指定欄１０１６が選択された場合は、修飾処理部１４１による所定の修飾処理（反転処理および網掛け処理）に加えて、文字サイズ変更処理部１４２によって、指定された隠匿処理対象の文字または文字列に対する「文字の縮小処理」が実施されるようになっている。
【００７０】
「字体変更」指定欄１０１７が選択された場合は、修飾処理部１４１による所定の修飾処理（反転処理および網掛け処理）に加えて、字体変更処理部１４３によって、指定された隠匿処理対象の文字または文字列に対する「字体の変更処理」が実施されるようになっている。
【００７１】
すなわち、ユーザが、「文字縮小」指定欄１０１６または「字体変更」指定欄１０１７を選択し、さらに「確定」ボタン１０１８Ｃを選択することにより、選択された指定欄に対応する隠匿処理方法と、必須の隠匿処理方法としての所定の修飾処理（反転処理および網掛け処理）とが、今回の隠匿処理方法として確定される。
【００７２】
次に、画像処理装置の画像処理部による隠匿処理について、図３を参照して説明する。
【００７３】
なお、図３は、その隠匿処理の処理手順を示すフローチャートである。
【００７４】
ここでは、「隠匿処理対象の文字および文字列の両方または一方」を総称して「隠匿処理対象の文字（文字列）」と表記する。また、アプリケーションソフトウェア１０４により作成されたデータに対応する文章は、字体が「ゴシック体」の文字で記述されているものとする。
【００７５】
ユーザは、入力部１０２を操作して、表示部１０１にファイル設定画面を表示させるとともに、該ファイル設定画面に対して画像形成対象（印刷対象）のデータのファイル名を指定する。
【００７６】
また、ユーザは、入力部１０２を操作して、表示部１０１に隠匿処理設定画面１０１Ａ（図２（ａ）参照）および隠匿処理設定画面１０１Ｂ（図２（ｂ）参照）を表示させるとともに、これらの設定画面に対して所望の指定欄を選択し、あるいは記述欄に隠匿処理対象の文字（文字列）を記述し、隠匿処理対象の文字（文字列）および隠匿処理方法を指定する。これら設定画面に設定（指定）された隠匿処理対象の文字（文字列）および隠匿処理方法に関する情報は指定情報取得部１２０に入力される。
【００７７】
上述したようにして指定されたファイル名に対応するデータつまりアプリケーションソフトウェア１０４により作成されたデータが印刷データ生成部１０３に与えられると、印刷データ生成部１０３は、受け取ったデータを印刷データ（ＰＤＬデータ）に変換してデータ取得部１１０に向けて出力する。
【００７８】
データ取得部１１０は、印刷データ生成部１０３からの印刷データを画像形成対象のデータとして取得し、これをデータ記憶部１６０に格納する（ステップＳ１１０）。
【００７９】
指定情報取得部１２０は、上述したようにして隠匿処理設定画面１０１Ａおよび隠匿処理設定画面１０１Ｂに対して設定された隠匿処理対象の文字（文字列）および隠匿処理方法の情報を取得し（ステップＳ１２０）、取得した隠匿処理対象の文字（文字列）を記号特定部１３０へ出力するとともに、取得した隠匿処理方法の情報を記号処理部１４０へ出力する（ステップＳ１３０）。
【００８０】
記号特定部１３０は、データ記憶部１６０に記憶されている印刷データの中から、隠匿処理対象の文字（文字列）と同じものを特定し、この特定した結果（文字列の存在する位置に関する位置情報など）を記号処理部１４０へ出力する（ステップＳ１４０）。
【００８１】
記号処理部１４０は、指定情報取得部１２０からの隠匿処理方法の情報を基に、指定された隠匿処理方法による隠匿処理は、「必須の隠匿処理」、「必須の隠匿処理と文字サイズ変更処理」、「必須の隠匿処理と字体変更処理」のいずれであるかを判断する（ステップＳ１５０）。
【００８２】
ここで、図２（ｂ）の隠匿処理設定画面１０１Ｂにおいて、「文字縮小」指定欄１０１６が選択され、さらに「確定」ボタン１０１８Ｃが選択された場合には、「必須の隠匿処理と文字サイズ変更処理」であると判断される。また、「字体変更」指定欄１０１７が選択され、さらに「確定」ボタン１０１８Ｃが選択された場合には、「必須の隠匿処理と字体変更処理」であると判断される。さらに、文字縮小」指定欄１０１６および「字体変更」指定欄１０１７のいずれも選択されずに、「確定」ボタン１０１８Ｃが選択された場合は、「必須の隠匿処理」であると判断される。
【００８３】
ステップＳ１５０において隠匿処理は「必須の隠匿処理」であると判断された場合には、記号処理部１４０では、修飾処理部１４１による隠匿処理が実施される（ステップＳ１６０）。この隠匿処理の詳細については後述する。
【００８４】
またステップＳ１５０において隠匿処理は「必須の隠匿処理と文字サイズ変更処理」であると判断された場合には、記号処理部１４０では、修飾処理部１４１と文字サイズ変更処理部１４２とによる隠匿処理が実施される（ステップＳ１７０）。この隠匿処理の詳細については後述する。
【００８５】
さらにステップＳ１５０において隠匿処理は「必須の隠匿処理と字体変更処理」であると判断された場合は、記号処理部１４０では、修飾処理部１４１と字体変更処理部１４３とによる隠匿処理が実施される（ステップＳ１８０）。この隠匿処理の詳細については後述する。
【００８６】
そして、上記ステップＳ１６０、上記ステップＳ１７０、またはステップＳ１８０を終了した記号処理部１４０が、データ記憶部１６０に記憶されている隠匿処理済みの印刷データを読み出して、データ出力部１５０へ出力すると（ステップＳ１９０）、データ出力部１５０は、受け取った印刷データ（隠匿処理済みの印刷データ）を画像形成装置２０としてのプリンタに向けて出力する（ステップＳ２００）。
【００８７】
次に、上記ステップＳ１６０、上記ステップＳ１７０、および上記ステップＳ１８０での各隠匿処理について説明する。
【００８８】
すなわち、ステップＳ１６０での隠匿処理においては、記号処理部１４０では、図４に示すように、修飾処理部１４１は、記号特定部１３０からの特定した結果に基づき、隠匿処理対象の文字（文字列）に対して必須の隠匿処理方法としての反転処理および網掛け処理を実施する。つまり修飾処理部１４１は、隠匿処理対象の文字（文字列）に対する上記所定の修飾として、当該特定された文字（文字列）の反転と、当該特定された文字（文字列）にかかわる背景と当該文字（文字列）の輪郭線（または文字列の文字の輪郭線）とについて網掛け率が４０％以上の網掛けとを実施する（ステップＳ１６１）。
【００８９】
ここで具体的に説明する。文字（アウトラインフォント）は線部分（オフセット部分）と中塗り部分とで構成されるので、隠匿処理対象の文字（文字列）が、図５（ａ）に示すように、例えば、線部分（オフセット部分）１４１１と中塗り部分１４１２とで構成される文字「大」であるとする。また、この文字「大」に関して、線部分（オフセット部分）１４１１と中塗り部分１４１２とが黒色（黒の塗り潰し）で該文字「大」にかかわる背景１４１３が白色であるとする。
【００９０】
この場合、修飾処理部１４１は、線部分（オフセット部分）１４１１と中塗り部分１４１２とで構成される文字「大」を反転処理するとともに、当該文字「大」の輪郭線つまり線部分（オフセット部分）１４１１と当該文字「大」にかかわる背景１４１３とについて例えば網掛け率４０％で網掛け処理を実施する。
【００９１】
これにより、図５（ａ）に示す文字「大」は、図５（ｂ）に示す文字「大」に遷移することになる。
【００９２】
ちなみに、反転および網掛けの単なる組み合わせの場合では線部分１４１１と中塗り部分１４１２とで構成される文字「大」の反転となるのに対し、修飾処理部１４１による反転処理および網掛け処理を実施する場合では、中塗り部分１４１２のみで構成される文字「大」の反転となるので、後者の文字「大」は、前者の文字「大」と比較して、線部分１４１１だけ線幅が細くなっている。
【００９３】
このように、隠匿処理対象の文字（文字列）に対する上記所定の修飾として、当該特定された文字（文字列）の反転と、当該特定された文字（文字列）にかかわる背景と当該文字（文字列）の輪郭線（線部分＝オフセット部分）とについて網掛け率が４０％以上の網掛けとを実施するということは、印刷データが画像形成（印刷）された印刷物（用紙）の画像形成面を、第三者が当該画像形成面に対し鋭角な方向から目視した場合（斜め読みした場合）であっても、隠匿処理対象の文字（文字列）の判読を困難にさせることを意味する。
【００９４】
ところで、ステップＳ１７０での隠匿処理においては、記号処理部１４０では、図６に示すように、修飾処理部１４１が、記号特定部１３０からの特定した結果に基づき、隠匿処理対象の文字（文字列）に対して必須の隠匿処理方法としての反転処理および網掛け処理を実施するとともに、文字サイズ変更処理部１４２が、隠匿処理対象の文字（文字列）を、当該文字（文字列）以外の文字（文字列）の文字サイズよりも小さい文字サイズに変更（規定の文字サイズに縮小）する（ステップＳ１７１）。
【００９５】
具体的には、必須の隠匿処理方法としての反転処理および網掛け処理では、ステップＳ１６１の場合と同様の処理が実施される。
【００９６】
また、文字の縮小処理では、印刷データにかかわる文章が、文字のサイズを示す文字ポイントが例えば１１ポイント（１１Ｐ）の文字で記述されている場合、隠匿処理対象の文字（文字列）は、１１ポイントよりも小さいサイズを示す文字ポイント例えば１０ポイント（１０Ｐ）の文字に書き換えられる（縮小される）。
【００９７】
このように隠匿処理対象の文字（文字列）の文字ポイントを小さくするということは、隠匿処理対象の文字（文字列）の線幅を、その文字以外の文字の線幅よりも細くすることを意味する。
【００９８】
さらに、ステップＳ１８０での隠匿処理においては、記号処理部１４０では、図７に示すように、修飾処理部１４１が、記号特定部１３０からの特定した結果に基づき、隠匿処理対象の文字（文字列）に対して必須の隠匿処理方法としての反転処理および網掛け処理を実施するとともに、字体変更処理部１４３が、隠匿処理対象の文字（文字列）を、当該文字（文字列）以外の文字（文字列）の字体の線幅よりも細い字体の文字に変換する（ステップＳ１８１）。
【００９９】
具体的には、必須の隠匿処理方法としての反転処理および網掛け処理では、ステップＳ１６１の場合と同様の処理が実施される。
【０１００】
また、文字の字体の変更処理では、印刷データにかかわる文章が「ゴシック体」の字体の文字で記述されている場合、隠匿処理対象の文字（文字列）は、ゴシック体での文字の線幅よりも細い字体例えば「明朝体」の文字に変換される。この場合、隠匿処理対象の文字（文字列）の文字ポイントはそのままとなっている（字体の変更前の文字ポイントと同じである）。
【０１０１】
このように隠匿処理対象の文字（文字列）例えばゴシック体の文字を、その文字（文字列）以外の文字（文字列）の字体（例えばゴシック体）の線幅よりも細い字体（例えば明朝体）の文字に変換するということは、隠匿処理対象の文字（文字列）の線幅を、その文字以外の文字の線幅よりも細くすることを意味する。
【０１０２】
ここで、画像処理部１００（の記号処理部１４０）による隠匿処理の具体例について説明する。
【０１０３】
ユーザが、入力部１０２を操作して、図８（ａ）に示すように隠匿処理設定画面１０１Ａに対し、「任意の文字・文字列」指定欄１０１１を選択し、また記述欄１０１１Ａに隠匿処理対象として「曲げ部，本体側板，カシメ」の複数の文字列を記述し、「確定」ボタン１０１８Ａを選択したとする。
【０１０４】
また、ユーザが、入力部１０２を操作して、図８（ａ）に示すように隠匿処理設定画面１０１Ｂに対し、「文字縮小」指定欄１０１６を選択し、「確定」ボタン１０１８Ｃを選択したとする。必須の隠匿処理方法での網掛け処理の網掛け率は４０％に設定されているとする。
【０１０５】
さらに、画像形成対象のデータは、図９（ａ）に示す内容（文字ポイントが１１Ｐの文字で記述された文章）を含むデータであるとする。ちなみに、図９（ａ）に示す内容は、反転処理および網掛け処理が実施されていない状態の印刷結果、印刷物の画像形成面での画像形成結果である。
【０１０６】
上述したような前提条件の下、画像処理部１００（の記号処理部１４０）が上述したような隠匿処理を実施した場合、図９（ａ）に示す内容は、図９（ｂ）に示す内容に遷移する。この図９（ｂ）に示す例では、隠匿処理対象の文字列（曲げ部、本体側板、カシメ）については、上述した必須の隠匿処理方法の隠匿処理としての反転と網掛け率４０％の網掛けとが施され、かつ文字列の文字の文字ポイントが１１Ｐから１０Ｐに変更されている。
【０１０７】
また、上述したような前提条件において、必須の隠匿処理方法での網掛け処理の網掛け率を５０％に変更した条件で、画像処理部１００（の記号処理部１４０）が上述したような隠匿処理を実施した場合、図９（ａ）に示す内容は、図９（ｃ）に示す内容に遷移する。この図９（ｃ）に示す例では、隠匿処理対象の文字列（曲げ部、本体側板、カシメ）については、上述した必須の隠匿処理方法の隠匿処理としての反転と網掛け率５０％の網掛けとが施され、かつ文字列の文字の文字ポイントが１１Ｐから１０Ｐに変更されている。
【０１０８】
さらに、上述したような前提条件において、必須の隠匿処理方法での網掛け処理の網掛け率を１００％に変更した条件で、画像処理部１００（の記号処理部１４０）が上述したような隠匿処理を実施した場合、図９（ａ）に示す内容は、図９（ｄ）に示す内容に遷移する。この図９（ｄ）に示す例では、隠匿処理対象の文字列（曲げ部、本体側板、カシメ）については、上述した必須の隠匿処理方法の隠匿処理としての反転と網掛け率１００％の網掛けとが施され、かつ文字列の文字の文字ポイントが１１Ｐから１０Ｐに変更されている。
【０１０９】
以上説明したように、実施の形態１によれば、隠匿処理対象の文字（文字列）に対する所定の修飾として、当該特定された文字（文字列）の反転と、当該特定された文字（文字列）にかかわる背景と当該文字（文字列）の輪郭線（線部分＝オフセット部分）とについて網掛け率４０％以上（好ましくは網掛け率４０％以上、５０％以下の範囲の中の所望の網掛け率）の網掛けとを実施することにより、印刷データが印刷された印刷物（用紙）の画像形成面（印刷面）を正面から目視した場合には隠匿処理対象の文字（文字列）の判読が可能であるものの、印刷物の画像形成面を当該画像形成面に対し鋭角な方向から目視した場合（斜め読みした場合）は、隠匿処理対象の文字（文字列）の判読は困難となる。
【０１１０】
また、実施の形態１によれば、上述したような所定の修飾処理に加えて、隠匿処理対象の文字（文字列）を、隠匿処理対象の文字（文字列）以外の文字（文字列）の文字ポイントと比較して小さい文字ポイントの文字（文字列）に変更することにより、隠匿処理対象の文字（文字列）については、文字ポイントが同じ場合（文字のサイズが同じ場合）と比較して、さらに隠匿性を高めた状態とすることができる。
【０１１１】
さらに、実施の形態１によれば、上述したような所定の修飾処理に加えて、印刷データにかかわる文章が「ゴシック体」の字体の文字で記述されている場合、隠匿処理対象の文字（文字列）を、「明朝体」の字体の文字に変換することにより、隠匿処理対象の文字（文字列）の線幅を細くするのと同じ効果が得られ、結果的に、隠匿処理対象の文字（文字列）については、字体が同じ場合と比較して、さらに隠匿性を高めた状態とすることができる。
【０１１２】
（実施の形態２）
【０１１３】
図１０は、実施の形態２に係る画像処理装置の機能構成を示している。
【０１１４】
図１０に示す画像処理装置１０は、図１に示した実施の形態１の画像処理装置１０の機能構成において、インタフェース２１０を追加した構成になっている。
【０１１５】
インタフェース２１０は、上記インタフェース手段の機能を有し、原稿を光学的に読み取るとともに該読み取り結果を画像データに変換する画像読取装置２００とデータの授受を行う。
【０１１６】
このインタフェース２１０が画像読取装置２００からの画像データ（スキャンデータ）を印刷データ生成部１０３に与えると、印刷データ生成部１０３は、与えられた画像データ（スキャンデータ）を基に印刷データ（ＰＤＬデータ）を生成し、これをデータ取得部１１０に与える。
【０１１７】
データ取得部１１０は、印刷データ生成部１０３から与えられた印刷データ（画像データ（スキャンデータ）に基づき生成された印刷データ）を画像形成対象のデータとして取得し、これをデータ記憶部１６０に格納する。
【０１１８】
これ以降の処理は、上述した実施の形態１の場合と同様であるので、ここではその詳細な説明は省略する。
【０１１９】
なお、実施の形態２においては、画像読取装置２００と画像処理装置１０と画像形成装置２０とで画像形成システム２を形成している。
【０１２０】
この実施の形態２においても、実施の形態１の場合と同様の作用効果を期待することができる。
【０１２１】
（実施の形態３）
【０１２２】
図１１は、実施の形態３に係る画像処理装置の要部の機能構成を示している。
【０１２３】
図１１（ａ）に示す記号処理部１４０Ａは、図１に示した実施の形態１の画像処理装置１０の画像処理部１００における記号処理部１４０の機能構成において、字体変更処理部１４３を削除した構成になっている。なお、この画像処理部１００において、記号処理部以外の構成要素の変更はない。
【０１２４】
また、図１１（ｂ）に示す記号処理部１４０Ｂは、図１に示した画像処理装置１０の画像処理部１００における記号処理部１４０の機能構成において、文字サイズ変更処理部１４２を削除した構成になっている。なお、この画像処理部１００において、記号処理部以外の構成要素の変更はない。
【０１２５】
この実施の形態３では、画像処理部１００は、図１に示したデータ取得部１１０、指定情報取得部１２０、記号特定部１３０、記号処理部１４０Ａおよび記号処理部１４０Ｂのいずれか一方の記号処理部、データ出力部１５０、およびデータ記憶部１６０を有するようにする。
【０１２６】
また、表示部１０１に表示される隠匿処理設定画面は、隠匿処理対象の文字および文字列の両方または一方の指定を行うための図２（ａ）に示した隠匿処理設定画面１０１Ａのみとする。
【０１２７】
実施の形態３では、隠匿処理方法を指定することはできず、また必須の隠匿処理方法による隠匿処理（反転処理および網掛け処理）のみの実施は行わないようになっている。
【０１２８】
そして、画像処理部１００では、記号処理部が図１１（ａ）の記号処理部１４０Ａの場合には、隠匿処理設定画面１０１Ａに対してユーザによって設定（選択）された内容に基づく隠匿処理対象の文字（文字列）について、修飾処理部１４１と文字サイズ変更処理部１４２とによる隠匿処理を実施する。修飾処理部１４１と文字サイズ変更処理部１４２とによる隠匿処理は、図６に示した隠匿処理と同様である。
【０１２９】
これに対し、記号処理部が図１１（ｂ）の記号処理部１４０Ｂの場合は、上記隠匿処理対象の文字（文字列）について、修飾処理部１４１と字体変更処理部１４３とによる隠匿処理を実施する。修飾処理部１４１と字体変更処理部１４３とによる隠匿処理は、図７に示した隠匿処理と同様である。
【０１３０】
実施の形態３の応用例について説明する。画像処理部１００の記号処理部は、修飾処理部１４１のみを有する構成とする。
【０１３１】
そして、画像処理部１００では、記号処理部の修飾処理部１４１は、上記隠匿処理対象の文字（文字列）について、必須の隠匿処理方法としての反転処理および網掛け処理を実施する。この修飾処理部１４１による隠匿処理（反転処理および網掛け処理）は、図４に示した隠匿処理と同様である。
【０１３２】
この実施の形態３においても、実施の形態１の場合と同様の作用効果を期待することができる。
【０１３３】
次に、上述した実施の形態１から実施の形態３の画像処理装置１０のハードウェア構成について、図１２を参照して説明する。
【０１３４】
画像処理装置１０は、図１２に示すように、ＣＰＵ１１、ハードディスクなどの記憶装置１２、ＲＯＭ１３、ＲＡＭ１４、表示装置１５、入力装置１６、通信インタフェース（通信Ｉ／Ｆ）１７、およびインタフェース１８を有している。
【０１３５】
記憶装置１２は、上述したデータ記憶部１６０を除く画像処理部１００（図１、図１０参照）の機能を実現するためのプログラム、上述した処理手順（図３、図４、図６、図７参照）に対応するプログラム、印刷データ生成部１０３（図１、図１０参照）の機能を実現するためのプログラム、アプリケーソンソフトウェア１０４（図１参照）など所定のプログラムを記憶している。
【０１３６】
ここで、上述したデータ記憶部１６０を除く画像処理部１００（図１、図１０参照）の機能を実現するためのプログラム、および上述した処理手順（図３、図４、図６、図７参照）に対応するプログラムを、画像処理プログラム１２Ａと定義する。
【０１３７】
なお、画像処理プログラム１２Ａには、少なくとも次の（１）〜（５）の処理過程が含まれている。
【０１３８】
（１）画像形成対象のデータを取得するデータ取得処理過程。
【０１３９】
（２）指定される処理対象とする記号を取得する指定情報取得処理過程。
【０１４０】
（３）上記データ取得処理過程により取得されたデータから上記指定情報取得処理過程により取得された記号と同じ記号を特定する記号特定処理過程。
【０１４１】
（４）上記記号特定処理過程により特定された記号に対して所定の修飾を施すとともに、当該特定された記号については当該特定された記号とは異なる記号と比較して線幅を細くする記号処理過程。
【０１４２】
（５）上記記号処理過程により所定の修飾が施された後の前記画像形成対象のデータを出力するデータ出力処理過程。
【０１４３】
ＲＯＭ１３は、読み出し専用メモリであり、例えば図２に示した隠匿処理設定画面１０１Ａ、１０１Ｂに対応する画面情報など、画像処理部１００（ＣＰＵ１０１）による隠匿処理を実施するのに必要なデータ、情報などを記憶している。
【０１４４】
ＲＡＭ１４は、随時書き込み読み出しメモリであり、記憶装置１２から読み込まれた画像処理プログラム１２Ａなど所定のプログラムを記憶するとともに、ＲＯＭ１３から読み込まれた情報やデータを記憶する。
【０１４５】
また、ＲＡＭ１４は、上述したデータ記憶部１６０（図１、図１０参照）の機能を果たし、データ取得部１１０（ＣＰＵ１０１）が取得したデータ（画像形成対象のデータ）を記憶する。
【０１４６】
さらに、ＲＡＭ１０４には、上述した印刷データ生成部１０３（ＣＰＵ１０１）が印刷データ（ＰＤＬデータ）を生成するときに必要となるワークエリア（作業領域）が割り当てられている。
【０１４７】
表示装置１５は、例えばディスプレイで構成され、上述した表示部１０１（図１、図１０参照）の機能を果たすものである。
【０１４８】
入力装置１６は、例えばキーボードおよびマウスで構成され、上述した入力部１０２（図１、図１０参照）の機能を果たすものである。
【０１４９】
通信Ｉ／Ｆ１７は、画像形成装置（プリンタ）２０との通信を行うものであり、例えば画像処理部１００のデータ出力部１５０から送信された印刷データ（ＰＤＬデータ）を、画像形成装置（プリンタ）２０に向けて送信する。
【０１５０】
インタフェース１８は、上述したインタフェース２１０（図１０参照）の機能を果たし、画像読取装置２００からの画像データ（スキャンデータ）を受け付ける。このインタフェース１０８は、例えばシリアルインタフェース、あるいはパラレルインタフェースなどで実現することができる。
【０１５１】
ＣＰＵ１１は、中央演算処理装置であり、記憶装置１２からＲＡＭ１４へ上記所定のプログラムを読み込んで実行することにより、画像処理部１００の機能、印刷データ生成部１０３の機能を実現する。
【０１５２】
また、ＣＰＵ１１は、ＲＡＭ１４に読み込んだ所定のプログラムのうち画像処理プログラム１２Ａを実行することにより、画像処理部１００による隠匿処理を実施する。
【０１５３】
本願明細書において、画像処理プログラム１２Ａを含む上記所定のプログラムを記録媒体としてのハードディスク等の記憶装置に記録する実施形態として説明したが、当該所定のプログラムを次のようにして提供することも可能である。
【０１５４】
すなわち、上記所定のプログラムをＲＯＭに格納しておき、ＣＰＵが、この所定のプログラムをこのＲＯＭから主記憶装置へローディングして実行するようにしてもよい。
【０１５５】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。この場合、その記録媒体に記録された所定のプログラムを画像処理装置がインストールした後、この所定のプログラムをＣＰＵが実行するようにする。この所定のプログラムのインストール先としては、ＲＡＭ等のメモリやハードディスクなどの記憶装置がある。そして、画像処理装置は、必要に応じてこの記憶装置に記憶した所定のプログラムを主記憶装置にローディングして実行する。
【０１５６】
さらには、画像処理装置を通信回線（例えばインターネット）を介してサーバ装置あるいはホストコンピュータ等のコンピュータと接続するようにし、当該画像処理装置が、サーバ装置あるいはコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）がある。そして、当該画像処理装置が、必要に応じてこの記憶装置に記憶された上記所定のプログラムを主記憶装置にローディングして実行するようにする。
【産業上の利用可能性】
【０１５７】
本発明は、モノクロ画像あるいはカラー画像の少なくとも一方の画像に対応する印刷データを画像形成装置に提供する画像処理装置に適用することができる。
【図面の簡単な説明】
【０１５８】
【図１】実施の形態１に係る画像処理装置の機能構成を示すブロック図である。
【図２】実施の形態１に係る隠匿処理設定画面の一例を示す図である。
【図３】実施の形態１に係る画像処理装置の画像処理部による隠匿処理の処理手順を示すフローチャートである。
【図４】実施の形態１に係る記号処理部における修飾処理部による隠匿処理の処理手順を示すフローチャートである。
【図５】実施の形態１に係る記号処理部における修飾処理部による隠匿処理を説明する図である。
【図６】実施の形態１に係る記号処理部における修飾処理部および文字サイズ変更処理部による隠匿処理の処理手順を示すフローチャートである。
【図７】実施の形態１に係る記号処理部における修飾処理部および字体変更処理部による隠匿処理の処理手順を示すフローチャートである。
【図８】実施の形態１に係る隠匿処理設定画面に対する設定例を示す図である。
【図９】実施の形態１に係る記号処理部における修飾処理部および文字サイズ変更処理部による隠匿処理が施された印刷結果の一例を示す図である。
【図１０】実施の形態２に係る画像処理装置の機能構成を示すブロック図である。
【図１１】実施の形態３に係る画像処理装置の画像処理部における記号処理部の要部の機能構成を示すブロック図である。
【図１２】実施の形態１から実施の形態３に係る画像処理装置のハードウェア構成を示す構成図である。
【符号の説明】
【０１５９】
１，２  画像形成システム
１０  画像処理装置
１１  ＣＰＵ
１２  記憶装置
１２Ａ  画像処理プログラム
１３  ＲＯＭ
１４  ＲＡＭ
１５  表示装置
１６  入力装置
１７  通信インタフェース
１８  インタフェース
２０  画像形成装置
１００  画像処理部
１０１  表示部
１０２  入力部
１０３  印刷データ生成部
１１０  データ取得部
１２０  指定情報取得部
１３０  記号特定部
１４０  記号処理部
１５０  データ出力部
１６０  データ記憶部
２００  画像読取装置
２１０  インタフェース
【図１】
2009223765.tif 000003
【図２】
2009223765.tif 000004
【図３】
2009223765.tif 000005
【図４】
2009223765.tif 000006
【図５】
2009223765.tif 000007
【図６】
2009223765.tif 000008
【図７】
2009223765.tif 000009
【図８】
2009223765.tif 000010
【図９】
2009223765.tif 000011
【図１０】
2009223765.tif 000012
【図１１】
2009223765.tif 000013
【図１２】
2009223765.tif 000014